【手続補正書】
【提出日】平成27年7月3日(2015.7.3)
【手続補正１】
【補正対象書類名】明細書
【補正対象項目名】０００８
【補正方法】変更
【補正の内容】
【０００８】
上記の目的を達成するため、本発明による画像合成装置は、連続して撮影された複数の画像に基づいて、露光条件を算出する算出手段と、前記複数の画像から、前記算出手段により算出された露光条件に応じた枚数の時系列において離散した画像を選択する選択手段と、前記選択手段により選択された画像を合成して合成画像を生成する合成手段と、有することを特徴とする。
また、本発明による画像合成装置は、連続して撮影された複数の画像のうち複数の対象画像を合成して合成画像を生成する合成手段と、前記合成手段により生成された複数の合成画像を連続的に表示する表示手段と、前記合成手段により生成された合成画像に基づいて撮影条件の決定に用いる評価値を算出する算出手段と、を有し、前記合成手段は、前記表示手段に連続的に表示される複数の合成画像を生成する場合、前記複数の画像のうち互いに連続しない複数の対象画像を合成し、前記評価値の算出に用いる合成画像を生成する場合、前記複数の画像のうち互いに連続した複数の対象画像を合成することを特徴とする。
さらに、本発明による画像合成装置は、連続して撮影された複数の画像のうち複数の対象画像を合成して合成画像を生成する合成手段と、前記合成手段により生成された複数の合成画像を動画として記録する記録手段と、前記合成手段により生成された合成画像に基づいて撮影条件の決定に用いる評価値を算出する算出手段と、を有し、前記合成手段は、前記記録手段によって動画として記録される複数の合成画像を生成する場合、前記複数の画像のうち互いに連続しない複数の対象画像を合成し、前記評価値の算出に用いる合成画像を生成する場合、前記複数の画像のうち互いに連続した複数の対象画像を合成することを特徴とする。
【手続補正２】
【補正対象書類名】明細書
【補正対象項目名】０００９
【補正方法】変更
【補正の内容】
【０００９】
本発明による制御方法は、画像合成装置の制御方法であって、連続して撮影された複数の画像に基づいて、露光条件を算出する算出ステップと、前記複数の画像から、前記算出手段により算出された露光条件に応じた枚数の時系列において離散した画像を選択する選択ステップと、前記選択ステップにより選択された画像を合成して合成画像を生成する合成ステップと、有することを特徴とする。
また、本発明による制御方法は、画像合成装置の制御方法であって、連続して撮影された複数の画像のうち複数の対象画像を合成して合成画像を生成する合成ステップと、前記合成ステップで生成された複数の合成画像を連続的に表示部に表示する表示ステップと、前記合成ステップで生成された合成画像に基づいて撮影条件の決定に用いる評価値を算出する算出ステップと、を有し、前記合成ステップでは、前記表示部に連続的に表示される複数の合成画像を生成する場合、前記複数の画像のうち互いに連続しない複数の対象画像を合成し、前記評価値の算出に用いる合成画像を生成する場合、前記複数の画像のうち互いに連続した複数の対象画像を合成することを特徴とする。
さらに、本発明による制御方法は、画像合成装置の制御方法であって、連続して撮影された複数の画像のうち複数の対象画像を合成して合成画像を生成する合成ステップと、前記合成ステップで生成された複数の合成画像を動画としてメモリに記録する記録ステップと、前記合成ステップで生成された合成画像に基づいて撮影条件の決定に用いる評価値を算出する算出ステップと、を有し、前記合成ステップでは、前記メモリに動画として記録される複数の合成画像を生成する場合、前記複数の画像のうち互いに連続しない複数の対象画像を合成し、前記評価値の算出に用いる合成画像を生成する場合、前記複数の画像のうち互いに連続した複数の対象画像を合成することを特徴とする。
【手続補正３】
【補正対象書類名】明細書
【補正対象項目名】００１０
【補正方法】変更
【補正の内容】
【００１０】
本発明による制御プログラムは、画像合成装置で用いられる制御プログラムであって、前記画像合成装置が備えるコンピュータに、連続して撮影された複数の画像に基づいて、露光条件を算出する算出ステップと、前記複数の画像から、前記算出手段により算出された露光条件に応じた枚数の時系列において離散した画像を選択する選択ステップと、前記選択ステップにより選択された画像を合成して合成画像を生成する合成ステップと、実行させることを特徴とする。
また、本発明による制御プログラムは、画像合成装置で用いられる制御プログラムであって、前記画像合成装置が備えるコンピュータに、連続して撮影された複数の画像のうち複数の対象画像を合成して合成画像を生成する合成ステップと、前記合成ステップで生成された複数の合成画像を連続的に表示部に表示する表示ステップと、前記合成ステップで生成された合成画像に基づいて撮影条件の決定に用いる評価値を算出する算出ステップと、を実行させ、前記合成ステップでは、前記表示部に連続的に表示される複数の合成画像を生成する場合、前記複数の画像のうち互いに連続しない複数の対象画像を合成し、前記評価値の算出に用いる合成画像を生成する場合、前記複数の画像のうち互いに連続した複数の対象画像を合成することを特徴とする。
さらに、本発明による制御プログラムは、画像合成装置で用いられる制御プログラムであって、前記画像合成装置が備えるコンピュータに、連続して撮影された複数の画像のうち複数の対象画像を合成して合成画像を生成する合成ステップと、前記合成ステップで生成された複数の合成画像を動画としてメモリに記録する記録ステップと、前記合成ステップで生成された合成画像に基づいて撮影条件の決定に用いる評価値を算出する算出ステップと、を実行させ、前記合成ステップでは、前記メモリに動画として記録される複数の合成画像を生成する場合、前記複数の画像のうち互いに連続しない複数の対象画像を合成し、前記評価値の算出に用いる合成画像を生成する場合、前記複数の画像のうち互いに連続した複数の対象画像を合成することを特徴とする。
【手続補正４】
【補正対象書類名】明細書
【補正対象項目名】００１１
【補正方法】変更
【補正の内容】
【００１１】
本発明による記録媒体は、上記の制御プログラムのいずれかが記録されたコンピュータに読み取り可能な記録媒体である。
【手続補正５】
【補正対象書類名】明細書
【補正対象項目名】００５７
【補正方法】削除
【補正の内容】
【手続補正６】
【補正対象書類名】明細書
【補正対象項目名】００５８
【補正方法】削除
【補正の内容】
【手続補正７】
【補正対象書類名】明細書
【補正対象項目名】００６１
【補正方法】削除
【補正の内容】
【手続補正８】
【補正対象書類名】特許請求の範囲
【補正対象項目名】全文
【補正方法】変更
【補正の内容】
【特許請求の範囲】
【請求項１】
連続して撮影された複数の画像に基づいて、露光条件を算出する算出手段と、
前記複数の画像から、前記算出手段により算出された露光条件に応じた枚数の時系列において離散した画像を選択する選択手段と、
前記選択手段により選択された画像を合成して合成画像を生成する合成手段と、
を有することを特徴とする画像合成装置。
【請求項２】
前記複数の画像は同一の露光時間で連続して撮影されたものであることを特徴とする請求項１に記載の画像合成装置。
【請求項３】
前記合成手段は、合成画像を生成するために選択するそれぞれの画像の露光時間を合計したものが前記算出手段により算出された露光条件に対応する露光時間に一致するように画像を選択することを特徴とする請求項１又は２に記載の画像合成装置。
【請求項４】
前記複数の画像から時系列において連続する画像を選択する評価画像選択手段と、
前記評価画像選択手段により選択された画像を合成して評価画像を生成する評価画像合成手段と、
前記評価画像に基づいて評価値を算出する評価値算出手段と、
を有することを特徴とする請求項１乃至３のいずれか１項に記載の画像合成装置。
【請求項５】
前記評価値は焦点調節用の評価値であることを特徴とする請求項４に記載の画像合成装置。
【請求項６】
前記評価値は露光条件を算出するための評価値であることを特徴とする請求項４に記載の画像合成装置。
【請求項７】
前記評価値は画像内の被写体を検出するための評価値であることを特徴とする請求項４に記載の画像合成装置。
【請求項８】
連続して撮影された複数の画像のうち複数の対象画像を合成して合成画像を生成する合成手段と、
前記合成手段により生成された複数の合成画像を連続的に表示する表示手段と、
前記合成手段により生成された合成画像に基づいて撮影条件の決定に用いる評価値を算出する算出手段と、を有し、
前記合成手段は、前記表示手段に連続的に表示される複数の合成画像を生成する場合、前記複数の画像のうち互いに連続しない複数の対象画像を合成し、前記評価値の算出に用いる合成画像を生成する場合、前記複数の画像のうち互いに連続した複数の対象画像を合成することを特徴とする画像合成装置。
【請求項９】
連続して撮影された複数の画像のうち複数の対象画像を合成して合成画像を生成する合成手段と、
前記合成手段により生成された複数の合成画像を動画として記録する記録手段と、
前記合成手段により生成された合成画像に基づいて撮影条件の決定に用いる評価値を算出する算出手段と、を有し、
前記合成手段は、前記記録手段によって動画として記録される複数の合成画像を生成する場合、前記複数の画像のうち互いに連続しない複数の対象画像を合成し、前記評価値の算出に用いる合成画像を生成する場合、前記複数の画像のうち互いに連続した複数の対象画像を合成することを特徴とする画像合成装置。
【請求項１０】
画像合成装置の制御方法であって、
連続して撮影された複数の画像に基づいて、露光条件を算出する算出ステップと、
前記複数の画像から、前記算出手段により算出された露光条件に応じた枚数の時系列において離散した画像を選択する選択ステップと、
前記選択ステップにより選択された画像を合成して合成画像を生成する合成ステップと、
を有することを特徴とする制御方法。
【請求項１１】
画像合成装置の制御方法であって、
連続して撮影された複数の画像のうち複数の対象画像を合成して合成画像を生成する合成ステップと、
前記合成ステップで生成された複数の合成画像を連続的に表示部に表示する表示ステップと、
前記合成ステップで生成された合成画像に基づいて撮影条件の決定に用いる評価値を算出する算出ステップと、を有し、
前記合成ステップでは、前記表示部に連続的に表示される複数の合成画像を生成する場合、前記複数の画像のうち互いに連続しない複数の対象画像を合成し、前記評価値の算出に用いる合成画像を生成する場合、前記複数の画像のうち互いに連続した複数の対象画像を合成することを特徴とする制御方法。
【請求項１２】
画像合成装置の制御方法であって、
連続して撮影された複数の画像のうち複数の対象画像を合成して合成画像を生成する合成ステップと、
前記合成ステップで生成された複数の合成画像を動画としてメモリに記録する記録ステップと、
前記合成ステップで生成された合成画像に基づいて撮影条件の決定に用いる評価値を算出する算出ステップと、を有し、
前記合成ステップでは、前記メモリに動画として記録される複数の合成画像を生成する場合、前記複数の画像のうち互いに連続しない複数の対象画像を合成し、前記評価値の算出に用いる合成画像を生成する場合、前記複数の画像のうち互いに連続した複数の対象画像を合成することを特徴とする制御方法。
【請求項１３】
画像合成装置で用いられる制御プログラムであって、
前記画像合成装置が備えるコンピュータに、
連続して撮影された複数の画像に基づいて、露光条件を算出する算出ステップと、
前記複数の画像から、前記算出手段により算出された露光条件に応じた枚数の時系列において離散した画像を選択する選択ステップと、
前記選択ステップにより選択された画像を合成して合成画像を生成する合成ステップと、
実行させることを特徴とする制御プログラム。
【請求項１４】
画像合成装置で用いられる制御プログラムであって、
前記画像合成装置が備えるコンピュータに、
連続して撮影された複数の画像のうち複数の対象画像を合成して合成画像を生成する合成ステップと、
前記合成ステップで生成された複数の合成画像を連続的に表示部に表示する表示ステップと、
前記合成ステップで生成された合成画像に基づいて撮影条件の決定に用いる評価値を算出する算出ステップと、を実行させ、
前記合成ステップでは、前記表示部に連続的に表示される複数の合成画像を生成する場合、前記複数の画像のうち互いに連続しない複数の対象画像を合成し、前記評価値の算出に用いる合成画像を生成する場合、前記複数の画像のうち互いに連続した複数の対象画像を合成することを特徴とする制御プログラム。
【請求項１５】
画像合成装置で用いられる制御プログラムであって、
前記画像合成装置が備えるコンピュータに、
連続して撮影された複数の画像のうち複数の対象画像を合成して合成画像を生成する合成ステップと、
前記合成ステップで生成された複数の合成画像を動画としてメモリに記録する記録ステップと、
前記合成ステップで生成された合成画像に基づいて撮影条件の決定に用いる評価値を算出する算出ステップと、を実行させ、
前記合成ステップでは、前記メモリに動画として記録される複数の合成画像を生成する場合、前記複数の画像のうち互いに連続しない複数の対象画像を合成し、前記評価値の算出に用いる合成画像を生成する場合、前記複数の画像のうち互いに連続した複数の対象画像を合成することを特徴とする制御プログラム。
【請求項１６】
請求項１３乃至１５のいずれか１項に記載の制御プログラムが記録されたコンピュータに読み取り可能な記録媒体。